(57)【要約】  デマンドレスポンスをリアルタイムに最適化及び管理するシステム及び方法が提供される。そのシステムは、リソースモデラーと、予測エンジンと、オプティマイザーと、給電エンジンと、ベースラインエンジンとを利用する。そのシステムは、オープンフレーム標準規格に基づくシグナリング及びデータ収集を用いて構築され、「ソフトウェアアズアサービス」モデルのもとで提供され、デマンドレスポンスの参加コストを大幅に削減する。そのシステムは、既製の情報及び通信技術（ＩＣＴ）及び制御装置を使用する。【選択図】図１
2014527247.tif 000002
【特許請求の範囲】
【請求項１】
耐負荷リソースに対してリアルタイムに電力潮流を制御するようにデマンドレスポンスを最適化及び管理するシステムであって、
デマンドレスポンスイベントに応答して需要削減を検出する能力を提供するベースラインエンジンと、
公益事業者のバックエンドデータ及び顧客エンドポイントデータを前記システムに与える手段と、
公益事業者のバックエンドデータ及び顧客エンドポイントデータに通信可能に結合される、前記耐負荷リソースのリソースモデラーと、
前記リソースモデラーに通信可能に結合され、前記システムに接続される負荷ごとに個々の負荷及び利用可能な負荷制限を予測し、総負荷／負荷制限情報を与える第１のエンジンと、
前記リソースモデラー及び前記第１のエンジンに通信可能に結合され、デマンドレスポンスイベントに応答して負荷削減を検出する第２のエンジンと、
前記第１のエンジン及び前記第２のエンジンに通信可能に結合され、所与のコスト関数のもとでデマンドレスポンスの最適な給電を計算する第３のエンジンと、
前記第３のエンジンに通信可能に結合され、デマンドレスポンスの前記最適な給電を決定するオプティマイザーと、
前記オプティマイザーに通信可能に結合され、顧客のポートフォリオにわたってデマンドレスポンス信号を発送する給電エンジンと、
を備える、システム。
【請求項２】
前記システムはソフトウェアアズアサービス分散モデルとして提供される、請求項１に記載のシステム。
【請求項３】
前記リソースモデラーは、前記耐負荷リソースのタイプ、場所、特性、応答時間、ランプ時間及び利用可能性の情報を追跡する、請求項１に記載のシステム。
【請求項４】
前記第１のエンジンは機械学習アルゴリズムを利用して、負荷及び負荷制限を予測する、請求項１に記載のシステム。
【請求項５】
前記最適化エンジンによって考慮される前記コスト関数は、コスト、信頼性、負荷優先順位、ＧＨＧ又はこれらの加重和を含む、請求項１に記載のシステム。
【請求項６】
公益事業者メーター管理システムによって、前記公益事業者のバックエンドデータが与えられる、請求項１に記載のシステム。
【請求項７】
リアルタイムに電力潮流を制御するようにデマンドレスポンスを最適化及び管理する、コンピューターによって実施される方法であって、
利用可能なデマンドレスポンスリソースに関する情報を収集するとともに、デマンドレスポンスイベントに参加するのに望ましい前記デマンドレスポンスリソースを決定することと、
個々の顧客ごとに総負荷及び利用可能な負荷制限の短期予測を実行することと、
所与のコスト関数のもとでデマンドレスポンスの最適な給電を決定することと、
公益事業者のバックエンドデータ及び顧客エンドデータを統合し、フィードバックを生成し、デマンドレスポンスを識別することと、
を含む方法。
【請求項８】
前記実施はウェブ利用であり、ソフトウェアアズアサービス分散モデルのもとで提供される、請求項７に記載の方法。
【請求項９】
利用可能なデマンドレスポンスに関する前記情報は、対応するデマンドレスポンスイベントに対するリソースのタイプ、場所、関連する特性、応答時間、ランプ時間及び利用可能性を含む、請求項７に記載の方法。
【請求項１０】
前記最適化エンジンによって考慮される前記コスト関数は、コスト、信頼性、負荷優先順位、ＧＨＧ又はこれらの加重和を含む、請求項７に記載の方法。
【請求項１１】
デマンドレスポンスの前記最適な給電は、最適なデマンドレスポンス入札、デマンドレスポンスイベントの最適な給電、及び顧客に対する価格信号の形で計算される、請求項７に記載の方法。
【発明の詳細な説明】
【技術分野】
【０００１】
本発明は包括的には、デマンドレスポンス（ＤＲ）と、分散エネルギーリソース（ＤＥＲ）の管理のシステムとに関し、より詳細には、配電網への分散再生可能発電の大規模統合をサポートするためにリアルタイムに電力潮流を制御する、デマンドレスポンス（ＤＲ）及び分散エネルギーリソース（ＤＥＲ）を最適化及び管理するシステム及び方法に関する。
【０００２】
［関連出願の相互参照］
本出願は、２０１１年９月１６日に出願の「Software-as-a-Service (SaaS) for Optimization and Management of Demand Response and Distributed Energy Resources」と題する米国仮特許出願第６１／５３５，３６９号に対する優先権の恩典を主張し、２０１１年９月１６日に出願の「Multi-Channel Communication of Demand Response Information between Server and Client」と題する米国仮特許出願第６１／５３５，３７１号に対する優先権の恩典を主張し、２０１１年９月１６日に出願の「System and Method for Optimization of Demand Response and Distributed Energy Resources and Management Thereof」と題する米国仮特許出願第６１／５３５，３６５号に対する優先権の恩典を主張し、それぞれの内容はその全体を引用することにより本明細書の一部をなすものとする。
【背景技術】
【０００３】
エネルギーの需要が伸びていることから、代替のエネルギー源を見つけることが益々重要になっている。１つの解決策は、新たなエネルギー源を作り出すことであり、別の解決策はエネルギーを節約することである。ここ数年で、「デマンドレスポンス（ＤＲ）」プログラムの実施が見られてきた。デマンドレスポンスは、供給条件に応じて顧客の電気消費量を管理し、例えば、危機的な時期（critical time）に顧客に電気消費量を低減させるか、又は市場価格に応じて顧客の電気消費量を管理する仕組みである。デマンドレスポンスは一般的に、顧客に需要を低減するように促し、それにより、電気に対するピーク需要を低減するために用いられる。デマンドレスポンスは、一日のうちの電気料金の高い特定の時間帯又は緊急時に、電気使用量を自発的に削減又は低減する能力を顧客に与える。
【０００４】
言い換えると、デマンドレスポンスは、価格信号、金銭的なインセンティブ、環境条件又は信頼制御信号に応答して、最終使用の電気利用顧客が、所与の時間においてその電気使用量を削減できるようにするか、又はその使用量を別の時間にシフトできるようにするリソースである。デマンドレスポンスは、高価格であるピーク時間エネルギー使用量を下げることによって、公共料金納付者の金銭を節約する。これは、卸売エネルギーの価格を下げ、ひいては小売価格も下げる。デマンドレスポンスは、更なる発電の必要性を相殺することによって輪番停電を防ぐこともでき、発電者の市場支配力を軽減する。
【０００５】
従来、ピーク負荷をシフトするために、価格に基づくＤＲが使用されてきたが、過負荷（congestion）又は電力品質のような他の電気的特性に十分に対処してこなかった。ＤＲＯＭＳ−ＲＴはｓｕｂＬＡＰ（負荷集積点）内の負荷を対象にしており、ｓｕｂＬＡＰの細分性によって過負荷制約付きの配電網を有益に管理できるようにする。配電網の物理現象のそのような検討は、ＤＲの価値を高めるだけでなく、再生可能な需要リソースの市場浸透が拡大するにつれて特に、配電網の不測の事態への信頼性及び回復力を高める。
【０００６】
既存のデマンドレスポンスプログラムは、粗削りの応答を与える比較的粗い制御を提供しており、従来のベースライン技法を用いて、通常の全サイトの電気メータープロファイルを区別するのは難しいことが多い。制限は多くの場合「開ループ」であり、全サイトのインターバルメーターデータは最も早くて翌日に入手可能である。閉ループ制御を用いて、特定の制限値を対象とするとき、ランプ速度が依然として実質的に制御されない。従来の遠隔測定装置は、監視される負荷あたり２００００ドル以上のコストがかかる。自己較正負荷特有モデルに基づく閉ループ制御を用いるデマンドレスポンスリソースによる給電は、従来のモデルでは開示されていない。モデル構築、給電調整、性能最適化のための他の高度な入力を用いる低コスト（２００ドル未満）の負荷レベル遠隔測定及び学習アルゴリズムは、これまで一度も行われてこなかった。
【０００７】
今日、これらのプログラムは全て別々に連携することなく実施されており、複数の地理的場所及び顧客にわたってこれらのプログラムの実行を協調させる方法はない。この結果、システムの全体効率が大幅に低下する。本発明は全てのプログラムにわたる全てのＤＲリソースの統一見解を提供し、これらのリソースを用いて最適に給電することにより、システムを大幅に効率化する。
【発明の概要】
【０００８】
したがって、本発明の一態様では、リアルタイムのデマンドレスポンス最適化及び管理システム（ＤＲＯＭＳ−ＲＴ）が提供される。そのシステムは、利用可能なＤＲ（デマンドレスポンス）リソース、そのタイプ、その場所、及び応答時間、ランプ時間等の他の関連する特性を全て追跡するリソースモデラーと、システムに接続される個々の負荷に関する総負荷及び利用可能な負荷制限の短期予測を実行する予測エンジンと、所与のコスト関数のもとでのデマンドレスポンスの最適な給電を決定するオプティマイザーと、給電エンジンと、デマンドレスポンスへの参加コストを大幅に削減するために、デマンドレスポンスイベント又は価格通知に応答して、需要削減を検出する能力を提供するベースラインエンジンとを備える。
【０００９】
本発明の別の態様では、非常に大きなベースライン信号の背景の中で小さな信号を検出するためにベースライン計算エンジンにおいて用いられる信号処理技法が提供される。その技法は、ベースライン雑音が存在する中で、ベースライン信号を特定し、負荷を削減する。
【００１０】
これ以降、本発明の範囲を制限することなく本発明を例示するために与えられる添付の図面とともに、本発明の好ましい実施形態が説明されることになる。図面では、類似の符号は類似の要素を表す。
【図面の簡単な説明】
【００１１】
【図１】本発明の一実施形態による、リアルタイムのデマンドレスポンス最適化及び管理システム（ＤＲＯＭＳ−ＲＴ）の動作を示す概略図である。
【００１２】
【図２】本発明の一実施形態による、動的デマンドレスポンスリソースモデルを示す図である。
【００１３】
【図３】本発明の一実施形態による、顧客集積による代替の信号向上方策及びＳＮＲ向上を示す図である。
【発明を実施するための形態】
【００１４】
ＤＲＯＭＳ−ＲＴは、配電網への分散発電の大規模統合をサポートするためにリアルタイムに電力潮流を制御する、高度に分散されたデマンドレスポンス最適化及び管理システムである。
【００１５】
デマンドレスポンスプログラムは、一年のうちの危機的な数時間（a few critical hours）にわたってエネルギーコストの削減、及びシステム保全を助ける。また、デマンドレスポンスプログラムは、最終顧客が、その設備において負荷を削減し、かつ価格応答プログラムに参加するのを促すか、又はデマンドレスポンスプロバイダを通して先物容量市場（forward capacity market）に参加するのを促す。デマンドレスポンスサービスは、現在利用可能である他の形の付帯的サービスオプションよりも大幅に安価であり、明確である。
【００１６】
本発明の一実施形態では、サービスプラットフォームとしての拡張可能なウェブ利用ソフトウェアが提供され、そのソフトウェアは、プログラム設計、リソースモデリング、予測、最適給電及び測定機能の全てを提供する。本発明は、デマンドレスポンス及び分散エネルギーリソース（ＤＥＲ）を最適化する方法を提供し、サービスモデルとしてのソフトウェアのもとで提供される。そのソフトウェアは、展開及び設備のコストを削減し、かつ全ての小規模の商用及び住宅用顧客がデマンドレスポンスに参加できるようにするプラットフォームを提供する。リアルタイムのデマンドレスポンス最適化及び管理システムは、オープンフレームワーク標準規格に基づくシグナリング及びデータ収集を用いて構築され、デマンドレスポンスに参加するコストを大幅に削減する「ソフトウェアアズアサービス」モデルのもとで提供される。このシステムは、既製の情報及び通信技術（ＩＣＴ）及び制御装置を用いる。
【００１７】
システムが絶えず性能を最適化し、予測可能性を高め、進行しているイベントの解析を通してサービスの損失を最小限に抑えるように、システム内に閉フィードバックループが設けられる。
【００１８】
本発明の一実施形態では、サービスモデルとしてのソフトウェアを用いて、デマンドレスポンス及び分散エネルギーリソース（ＤＥＲ）において最大効率を達成するシステムが導入される。
【００１９】
そのシステムは、１日前及び概ねリアルタイムの両方の状況にまたがることになる所与の計画対象期間にわたって種々の性能特性のデマンドレスポンスリソースのポートフォリオを管理することができる。そのシステムは配電網の要求を満たす（対象領域内の過負荷を低減する、不測の事態においてピーク低減を実施する、規制及び他の付帯的サービスを与える等）のに最も適しているデマンドレスポンスリソースの組み合わせを自動的に選択することができる。
【００２０】
そのシステムは、リアルタイム及び「個別の」デマンドレスポンスを与える給電のために高度な機械学習及びロバストな最適化技法を用いる。このシステムは、全ての利用可能なデマンドレスポンスプログラム、及び個々の顧客場所における異なるデマンドレスポンスイベントへの参加の履歴のもとで、利用可能な需要重視のリソースという統一見解を保つ。デマンドレスポンスリソースモデルは、現在の条件及び種々の高度な通知要件に基づくので動的である。
【００２１】
そのシステムは、新たなプログラムを提供することに対する障壁を取り除く。公益事業者は新たなプログラムを容易に、かつ高いコスト効率で試すことができる。さらに、公益事業者はより多くのプログラムを導入することで種々の分野の顧客にも役に立つことができ、それによって高い支持と顧客満足度とを達成する。これによって、システムの効率が改善し、コスト節約が達成される。そのシステムは、配電網に付帯的サービスを提供するのに適した時間枠内で高度に給電可能なデマンドレスポンスサービスを提供する。そのシステムは、セルラー、ブローバンドインターネット、ＡＭＩインフラストラクチャ、ＲＤＳ、電子メール等の複数のシグナリング技術と、数ある中でもＯｐｅｎＡＤＲ、スマートエナジープロファイル１．ｘ／２．ｘのようなシグナリングプロトコルとを使用することができる。また、そのシステムは、低コストのインターネットプロトコルに基づく遠隔測定による解決策を活用して、ハードウェアのコストを削減する。これにより、そのシステムは、無数のＯｐｅｎＡＤＲ（自動デマンドレスポンス）クライアントに動的な価格信号を提供できるようになる。
【００２２】
図１は、本発明の一実施形態による、リアルタイムのデマンドレスポンス最適化及び管理システムの動作を示す概略図である。図１を参照すると、リアルタイムのデマンドレスポンス最適化及び管理システム（ＤＲＯＭＳ−ＲＴ）１００が提供される。そのシステム１００は、リソースモデラー１０２と、予測エンジン１０４と、最適化エンジン１０６と、給電エンジン１０８と、ベースラインエンジン１１０とを備える。システム１００は、一方では公益事業者のバックエンドデータシステム１１６に、他方では、顧客エンドポイント１１４に結合される。
【００２３】
システム１００内のＤＲリソースモデラー（ＤＲＭ）１０２は、利用可能なＤＲリソース、そのタイプ、その場所、及び応答時間、ランプ時間等の他の関連する特性を全て追跡する。予測エンジン（ＦＥ）１０４は、ＤＲリソースモデラー１０２から利用可能なリソースのリストを入手する。予測エンジン１０４の主眼は、システム１００に接続される個々の負荷に関する総負荷及び利用可能な負荷制限の短期予測を実行することにある。最適化エンジン１０６は、利用可能なリソースと、ＤＲリソースモデラー１０２からの全ての制約と、予測エンジン１０４からの個々の負荷及び負荷制限の予測並びに誤差分布とを取り込み、所与のコスト関数のもとでのデマンドレスポンスの最適な給電を決定する。ベースラインエンジン１１０は信号処理技法を用いて、非常に大きな基礎信号の背景の中で小さな系統的負荷制限であっても識別する。そのシステムは、顧客エンドデバイスからライブデータフィードを受信するために一方の側において顧客エンドポイント１１４に結合される。そのシステムは別の側において公益事業者のバックエンドデータシステム１１６に結合され、公益事業者のバックエンドデータシステム１１６からのデータは、予測モデル及び最適化モデルを較正し、デマンドレスポンスイベントを実行するために与えられる。システム１００は給電エンジン１０８を有し、給電エンジンは、決定を下すのを助け、これらのリソース特有の確率論的モデルを用いて、デマンドレスポンスからＩＳＯ入札を生成するために顧客のポートフォリオにわたってデマンドレスポンス信号を発送するか、又は通過した入札若しくは配電網の他の制約に基づいて、顧客にデマンドレスポンス信号を最適に発送する。そのシステムは、ベースラインエンジンに接続される顧客／公益事業者インターフェース１１２を使用し、そのインターフェースは、システムと顧客又は公益事業者との間のインターフェースを提供する。
【００２４】
実際には、当然、フィードのうちの幾つかがいつでも又はリアルタイムに利用可能ではない場合がある。これらの場合に、予測エンジン１０４は、「オフラインで」、又は部分的なデータフィードを用いて動作することができる。システム１００の目標は、顧客エンドポイントに概ねリアルタイムにデマンドレスポンスイベントと価格信号とを与え、利用可能なデマンドレスポンスリソースを最適に管理することである。
【００２５】
また、ＤＲリソースモデラー１０２は、イベントへの参加又はイベントの完了によって影響を受けるリソースの利用可能性を絶えず更新する。また、ＤＲリソースモデラー１０２は、通知時間要件、特定の期間内のイベント数、及び連続的なイベント数のような各リソースに関連付けられる制約も監視する。また、ＤＲリソースモデラー１０２は、顧客の視点からデマンドレスポンスイベントに参加するのにどのリソースがより望ましいかに関する「負荷順序」を決定するユーザー優先順位と、リソースがイベントへの参加を受け入れる契約期間及び価格とを監視することもできる。また、デマンドレスポンスリソースモデラー１０２は、クライアントが「オンライン」である（すなわち、リソースとして利用可能である）か、そのイベントを断ったかを判断するために、クライアントからデータフィードを入手する。
【００２６】
予測エンジン１０４は複数の明示的及び暗黙的パラメータを考慮に入れて、機械学習（ＭＬ）技法を適用して、短期負荷及び制限予測と、これらの予測に関連付けられる誤差分布とを導出する。予測エンジン１０４は、ベースラインエンジン１１０にベースラインサンプル及び誤差分布を与える。さらに、ベースラインエンジン１１０は、実際の電力消費量データである、メーターからのデータフィードを入手する。
【００２７】
図２は、本発明の一実施形態による、動的デマンドレスポンスリソースモデルを示す。図２を参照すると、動的デマンドレスポンスリソース２００の動的デマンドレスポンスリソースモデル入力及びポートフォリオが与えられる。その図は、公益事業者／ＩＳＯ信号ごとに擬似発電を生成するためにリアルタイムのデマンドレスポンス最適化及び管理システムによって制御される、動的デマンドレスポンスリソースモデル（負荷ごとに固有）２０４に入力される動的デマンドレスポンスリソースモデル２０２への種々の入力と、動的デマンドレスポンスリソースのポートフォリオ２０６とを示す。
【００２８】
ベースラインエンジン１１０は、１組の顧客が全て負荷制限に関する契約上の義務を果たしているか否かを検証する。予測エンジン１０４は、ベースラインエンジン１１０にベースラインサンプル及び誤差分布を与える。さらに、ベースラインエンジン１１０は、実際の電力消費量データである、メーターからのデータフィードを入手する。ベースラインエンジン１１０は、「イベント検出」アルゴリズムを用いて、その負荷が実際にデマンドレスポンスイベントに関与したか否かを判断し、関与していた場合には、このイベントに起因する需要削減が何であったかを判断する。ベースラインエンジン１１０は、データを用いてベースライン予測を改善できるように、予測エンジン１０４にデータをフィードバックする。
【００２９】
最適化の全体的なロバスト性は誤差分布の推定によって改善され、誤差分布の推定は、イベント中の小さな負荷制限を分離するのを更に助ける。予測エンジン１０４は、ベースラインエンジン１１０を通してクライアントデバイスから連続的なフィードバックを入手し、より多くのデータをシステムが利用可能になるのに応じて、その予測能力を高める。また、予測エンジン１０４は、デマンドレスポンスイベント提案に対してクライアントデバイスが行いつつある決定のタイプを暗黙的に学習することによって、負荷優先順位についてデマンドレスポンスリソースモデラー１０２を更新することもできる。
【００３０】
最適化エンジン１０６は、利用可能なリソースと、デマンドレスポンスリソースモデラー１０２からの全ての制約と、予測エンジン１０４からの個々の負荷及び負荷制限の予測並びに誤差分布とを取り込み、所与のコスト関数のもとでのデマンドレスポンスの最適な給電を決定する。最適化エンジン１０６は、コスト、信頼性、負荷優先順位、ＧＨＧ又はその加重和のような種々のコスト関数を組み込むことができ、１日前及び概ねリアルタイムの計画対象期間を同時に網羅することができる所与の計画対象期間にわたって最適な給電決定を行うことができる。そのシステムは、ピーク負荷管理、リアルタイムバランシング、規制及び他の付帯的サービスのような、配電網の要求を満たすのに最も適しているデマンドレスポンスリソースの組み合わせを自動的に選択することができる。最適化問題の数学的な定式化を用いて、その問題を解くために、近似動的計画法（ＡＤＰ）アルゴリズムをいかに用いることができるかがわかる。最適化は、分布自体の誤差も考慮に入れ、極めて突然の変化、不規則な価格、及び複数の需要曲線を結果として生じる制御ポリシーを回避するロバストなＡＤＰ（近似動的計画法）アルゴリズムを実行することができる。また、最適化エンジン１０６を用いて、デマンドレスポンスリソースモジュールからの情報と、外部から供給することができる卸売市場価格予測とを前提として卸売市場に対する入札を生成することもできる。
【００３１】
ベースラインエンジン１１０は、信号処理技法を用いて、非常に大きな基礎信号の背景の中で小さな系統的負荷制限であっても識別する。ベースラインエンジン１１０は、１組の顧客が全て負荷制限に関する契約上の義務を果たしているか否かを検証する。ベースラインエンジン１１０は、信号処理技法を用いて、非常に大きな基礎信号の背景の中で小さな系統的負荷制限であっても識別する。ベースラインエンジン１１０は、デマンドレスポンス価格通知に応答して、需要削減を検出する能力を提供する。新規の信号処理技法を開発して、相対的に雑音があるベースライン環境において、デマンドレスポンス価格に応答して小さな系統的負荷削減を検出した。
【００３２】
ベースラインエンジン１１０の目標は、デマンドレスポンスイベント又は価格通知に応答して、需要削減を検出する能力を提供することである。その主眼は、相対的に雑音があるベースライン環境において、デマンドレスポンスイベントに応答して小さな系統的負荷削減を検出する能力を開発することにある。
【００３３】
１組の顧客が全てデマンドレスポンス義務を果たしているか否かを検証するという問題は、非常に大きな信号（ベースライン電力消費量）の背景の中の小さな信号（デマンドレスポンス関連の電力削減）と、ベースライン発電の誤った予測（モデル及び予測誤差）とを検出するという問題に帰着する。この問題を実効的に解決するために、ベースラインエンジン１１０は、信号処理領域からの複数の異なる要素をまとめ上げる必要がある。
【００３４】
ベースラインエンジン１１０は、最新のスパース信号処理アルゴリズムを展開して、デマンドレスポンス信号を最適に再生する。これらのアルゴリズムは、情報理論的限界に対して最適であり、それゆえ、それらのアルゴリズムは、デマンドレスポンス信号の「ＳＮＲ」が向上させることができない限り改善することはできない。信号対雑音比は科学技術において測定のために使用される。信号対雑音比は、信号電力と雑音電力との比と定義される。
【００３５】
検出を更に改善するために、ベースラインエンジン１１０は、幾つかの異なる信号対雑音比向上方策を利用し、その方策は、顧客レベル信号集積を用いることから、複数のデマンドレスポンスイベントにわたって確定を拡散することによる時間ダイバーシティを用いることまでに及ぶ。
【００３６】
信号対雑音比向上方策に加えて、ベースラインエンジン１１０は、デマンドレスポンス信号が信号処理問題に内在する、すなわち、システム１００が信号を選択することができるという事実を利用する。ベースラインエンジン１１０は、高い誤差電力及び低い誤差電力の時間及び場所を識別することができ、誤差電力に対するデマンドレスポンスリソース委託を調整することができる、すなわち、誤差電力が低いとき小さな単位でリソースを委託し、その逆も同様である。この最後のステップは、エンドユーザー負荷及び負荷変動に関する領域特有の知識を必要とし、既製のクラスタリングアルゴリズムは、誤差電力に関してクラスタリングすることはできない。
【００３７】
信号処理問題は以下のように提起される。ｘ＝（ｘ１，...，ｘｔ）がＴ周期にわたる特定のノードにおける総電力消費量のサンプリングされたデータを表すものとする。信号ｘ＿ｔはｘｔ＝ｙｔ＋εｔ−ｒｔとして分割することができる。ただし、ｙｔは予測及びクラスタリングモデルによって予測されるベースライン電力消費量であり、εｔは予測雑音であり、ｒｔはＤＲ信号である。信号デマンドレスポンス信号ｒｔは通常小さく、すなわち、全てのｔに対して｜ｒｔ｜≪｜ｙｔ｜であり、かなりスパースである可能性も高く、すなわち、
【数１】
2014527247.tif 000003
である。したがって、形式ｍｉｎ||ｒ||０＋λΣｐ（ｘｔ−ｙｔ＋ｒｔ）の最適化問題を解くことによってスパース信号を再生することができる。ただし、ｐ（・）は誤差分布の対数尤度を表す。
【００３８】
この問題はＮＰ困難であり、実際には解くのが非常に難しい。非常に緩やかな正則性条件下で、この最適化問題の解は、線形計画ｍｉｎ||ｒ||１＋λΣｐ（ｘｔ−ｙｔ＋ｒｔ）を解くことによって再生することができる。このＬＰは非常に悪条件であり、それを解くために専用コードを開発する必要がある。現在の最新技術のスパースアルゴリズムは、約１５ｄＢの信号対雑音比（ＳＮＲ）においてスパース信号を再生することができる。信号構造を用いるとき、例えば、「オン」になると、これらの信号は或る一定の指定の時間にわたって「オン」のままである傾向があるという事実等を用いるとき、この信号対雑音比を約１０ｄＢ、すなわち、信号電力が雑音電力にほぼ等しいとき、まで低減することができる。信号対雑音比に関するこの下限を下回ることは理論的には不可能である。
【００３９】
この信号対雑音比限界は、信号処理モジュールと予測モジュールとの間のつながりを際立たせる。デマンドレスポンス信号を実効的に検出するために、十分に高い信号対雑音比を確保しなければならない。信号対雑音比向上に関する顧客を中心にした幾つかの方策は以下の通りである。
【００４０】
図３は、本発明の一実施形態による、顧客集積による代替の信号向上方策及びＳＮＲ向上を示す図である。図３は、顧客ごとの予測誤差が独立しているとき、顧客を結合する「ポートフォリオ」効果が、信号対雑音比を高めることを示している。顧客を集積する「ポートフォリオ効果」の結果として、ＳＮＲを大幅に向上させることができる。代替の信号向上方策３０２は高いＳＮＲを有するが、顧客を集積する結果として、ＳＮＲが大幅に向上する（３０４）。デマンドレスポンスは、最適化エンジン１０６の制御下にある。顧客は予測誤差に従ってクラスタリングされ、必要な信号対雑音比を有する単位で実行することができる最適化エンジン１０６において制約を課すことができる。
【００４１】
信号対雑音比は、時間ダイバーシティによって、すなわち、数回のイベントにわたって平均してデマンドレスポンスに基づく支払いを確定することによって、高めることもできる。例えば、１つの建物において小さな負荷が制限されるとき、建物全体用のメーターを測定することによってその変化を区別することは不可能な可能性がある。しかしながら、同じ小さな負荷が１０００棟の建物において同時に制限された場合には、特性化されていない要因は平滑化される傾向があり、それにより、各建物内の小さな負荷制限を統計的に測定できるようになる。予測誤差が時間ごとに独立しているとき、時間にわたる「ポートフォリオ効果」が雑音電力を低減し、その一方で信号成分は相対的に一定のままであるので、再び、信号対雑音比を高める。付帯的サービスの場合、１日のうちの所与の時間中に数多くのイベントが存在することになり、これらのイベントにわたってデータを集積し、信号対雑音比を改善できる可能性がある。
【００４２】
デマンドレスポンスはシステム１００内の最適化エンジン１０６の制御下にある。システム１００は予測誤差にしたがって顧客をクラスタリングし、最適化エンジンにおいて制約を課し、必要な信号対雑音比を有する単位においてのみデマンドレスポンスを実行する。例えば、特定の顧客が大きな予測誤差を有する場合には、リアルタイムのデマンドレスポンス最適化及び管理システム１００は、デマンドレスポンスからその顧客を除外するか、その顧客を１０００人の他の顧客とグループにして、ポートフォリオ効果を利用する。
【００４３】
同じ顧客が、時間によって相対的に大きな誤差を有する場合もあれば、相対的に小さな誤差を有する場合もある（例えば、昼間は変動し、夜間は安定している）。システム１００はこれを識別し、相対的に小さなモデル誤差の時間中にのみリソース利用可能性を制限することができる。また、システム１００は、デマンドレスポンスリソース委託の規模を誤差電力と結びつけることによって、時間／場所情報を利用することもできる。
【００４４】
本発明の一実施形態では、非常に大きなベースライン信号の背景の中の小さな信号を検出するためにベースラインエンジン１１０において用いられる信号処理技法が提供される。その技法はベースライン信号を特定し、ベースライン雑音の存在下で負荷を削減する。
【００４５】
信号処理は、コンピューターアルゴリズムを用いて、雑音の影響を抑圧しながら、信号内に含まれる有用な情報の、自然で意味のある代替の表現を作成することを目指して、信号を解析及び変換することを伴う技法である。大抵の場合に、信号処理は、数値的方法及び図式的方法の両方を伴う多段階プロセスである。信号処理は、有用な演算を実行するために別々の時間又は連続した時間のいずれかにおいて信号を解析する技法である。信号は音、画像、時変測定値、センサデータ、制御システム信号、電気通信伝送信号及び無線信号を含む。
【００４６】
信号対雑音比は、時間ダイバーシティによって、すなわち、数回のイベントにわたって平均してデマンドレスポンスに基づく支払いを確定することによって、高めることもできる。信号対雑音比の向上は、種々の手段において達成することができる（図１を参照）。信号対雑音比が非常に低いとき、ロバストな最適化エンジンを用いて、デマンドレスポンス負荷が雑音に比べて非常に高くなるのを確実にすべきである。中間の雑音レベルでは、顧客クラスにわたる集積が、信号対雑音比を十分に向上させる。高い信号対雑音比は、信号対雑音比の向上が不要であり、その信号を信号処理モジュールに供給できることを意味する。
【００４７】
信号対雑音比（ＳＮＲ）は、信号処理モジュールと、機械学習予測及びフィルタリングモジュールとの間のつながりである。デマンドレスポンス信号を実効的に検出して、十分に高い信号対雑音比を保証するために、顧客ごとの予測誤差は独立していなければならない。顧客のポートフォリオ効果も信号対雑音比を高める。
【００４８】
本発明の一実施形態では、信号処理技法は、受信されたスマートメーターデータに含まれる情報を改善する。通常、スマートメーターで信号が測定されるとき、その信号は時間領域において表示される（縦軸が振幅又は電圧であり、横軸が時間である）。これは、信号を表示する最も論理的で、直観的な方法である。簡単な信号処理は多くの場合に、ゲートを用いて対象とする信号を分離するか、又は周波数フィルタを用いて望ましくない周波数を平滑化若しくは除去することを伴う。
【００４９】
本発明の一実施形態では、本発明は、これらの信号を無相関化し、精度を高めることができる最新の信号処理技法に関連する。信号処理技法は、相対的に雑音が多いベースライン環境においてデマンドレスポンス価格に応答して小さな系統的負荷削減を検出するように進化している。
【００５０】
高度な信号処理技法と、根底をなすデータの領域特有の工学知識とを組み合わせることによって、リアルタイムのデマンドレスポンス最適化及び管理システムは、デマンドレスポンスプログラムを管理する公益事業者又はＩＳＯ／ＲＴＯの確定部門の厳しい要件通りに、小さな系統的負荷制限を分離できるようになる。
【図１】
2014527247.tif 000004
【図２】
2014527247.tif 000005
【図３】
2014527247.tif 000006
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
耐負荷リソースの電力潮流をリアルタイムに制御するデマンドレスポンスシステムであって、
（ａ）デマンドレスポンスシステムに公益事業運用者及び顧客エンドポイントからデータを与える手段と、
（ｂ）公益事業運用者及び顧客エンドポイントに通信可能に結合され、前記耐負荷リソースの利用可能性に関する情報と、応答時間及びランプ時間を含む関連する特性とを抽出するリソースモデラーと、
（ｃ）前記リソースモデラーに通信可能に結合され、利用可能なリソースのリストをフェッチし、総負荷及び利用可能な負荷制限に対する短期予測を実行する予測エンジンと、
（ｄ）デマンドレスポンスの最適な給電を決定するオプティマイザーであって、前記予測エンジンから予測を受信するオプティマイザーと、
（ｅ）前記予測エンジン及び前記オプティマイザーに通信可能に結合され、所与のコスト関数のもとで顧客のポートフォリオにわたってデマンドレスポンスの前記最適な給電を計算する給電エンジンと、
（ｆ）デマンドレスポンス価格通知に応答して需要削減を観察するベースラインエンジンであって、スパース信号処理アルゴリズムを展開するベースラインエンジンと、
（ｇ）前記予測エンジン及び前記オプティマイザーを較正する手段であって公益事業者データフィードからデマンドレスポンスイベントを実行する手段と、
（ｈ）前記デマンドレスポンスシステムと、前記公益事業運用者と、前記顧客エンドポイントとの間の接続性を与えるインターフェースと、
を備え、
前記デマンドレスポンスシステムはクラウドネットワーク内にホスティングされ、インターネットを通してアクセス可能である、デマンドレスポンスシステム。
【請求項２】
前記システムは、ユーザーをサーバー上のデマンドレスポンスポートフォリオに接続するためにクラウドネットワークを使用する、請求項１に記載のデマンドレスポンスシステム。
【請求項３】
前記リソースモデラーは、デマンドレスポンスイベントに参加するリソースの負荷順序と、クライアントの契約期間及び状態とを監視する、請求項１または２に記載のデマンドレスポンスシステム。
【請求項４】
前記予測エンジンは、先行するデータフィードに基づいて結果を予測するインテリジェントシステムを構築する、請求項１から３の何れか１項に記載のデマンドレスポンスシステム。
【請求項５】
オプティマイザー及び前記給電エンジンは組み合わせされて最適化エンジンを形成し、前記最適化エンジンは、所与の計画対象期間にわたるコスト、信頼性、負荷優先順位、ＧＨＧ又はこれらの加重和のうちの１つ又は複数を含むコスト関数を計算する、請求項１から４の何れか１項に記載のデマンドレスポンスシステム。
【請求項６】
前記システムは前記インターフェースによって、一方において公益事業者のバックエンドデータシステムに結合され、他方において顧客エンドポイントに結合される、請求項１から５の何れか１項に記載のデマンドレスポンスシステム。
【請求項７】
デマンドレスポンスシステムにおいてリアルタイムの電力潮流のためにデマンドレスポンスを通信及び制御する方法であって、
（ａ）公益事業者メーターによって利用可能なデマンドレスポンスリソースに関する情報を収集するとともに、デマンドレスポンスイベントに参加するのに望ましい前記デマンドレスポンスリソースを決定することと、
（ｂ）個々の顧客ごとに総負荷及び利用可能な負荷制限の短期予測を実行することと、
（ｃ）所与のコスト関数のもとでデマンドレスポンスの最適な給電を決定することと、
（ｄ）公益事業者のバックエンドデータ及び顧客エンドデータを統合することであって、それによりフィードバックを生成し、デマンドレスポンスを識別することと、
を含む、デマンドレスポンスを通信及び制御する方法。
【請求項８】
前記デマンドレスポンスシステムはクラウドネットワークを通してホスティングされる、請求項７に記載の方法。
【請求項９】
前記利用可能なデマンドレスポンス情報は、顧客のポートフォリオにわたって、対応するデマンドレスポンスイベントに対するリソースのタイプ、場所、関連する特徴、応答時間、ランプ時間、利用可能性を含む、請求項７または８に記載の方法。
【請求項１０】
最適化エンジンによって計算される個別の前記コスト関数は、所与の計画対象期間にわたるコスト、信頼性、負荷優先順位、ＧＨＧ又はこれらの加重和を含む、請求項７から９の何れか１項に記載の方法。
【請求項１１】
顧客のポートフォリオにわたって、最適なデマンドレスポンス入札、デマンドレスポンスイベントの最適な給電、及び顧客に対する価格信号が計算される、請求項７から１０の何れか１項に記載の方法。
【国際調査報告】
2014527247.tif 000007
2014527247.tif 000008
2014527247.tif 000009